(57)【要約】 【課題】  安価で、絵画や写真などの内容物を収容する手間がない印字機能付き額縁（１）を提供する。【解決手段】  画像（９）を、プリンターで印刷可能な印刷領域本体（３）と、印刷領域本体（３）の四辺に連設されたフラップ（４、５、６、７）とからなるプリンター用紙（２）の各フラップ（４、５、６、７）を折り曲げて枠部（４Ａ、５Ａ、６Ａ、７Ａ）を形成し、枠部（４Ａ、５Ａ、６Ａ、７Ａ）に折り曲げられた状態で隣り合う枠部（４Ａ、５Ａ、６Ａ、７Ａ）に係止し、印刷領域本体（３）を囲う印字機能付き額縁（１）とする。プリンターのプリンター用紙（２）から、フラップ（４、５、６、７）を折り曲げ加工するだけで、額縁（１）が形成されるので、軽量で安価な額縁（１）が得られる。【選択図】  図６
2006055215.tif 000002
【特許請求の範囲】
【請求項１】
表面に写真、絵画などの画像を、プリンターで印刷可能な矩形の印刷領域本体と、
印刷領域本体の四辺にそれぞれ連設されたフラップとからなる１枚のプリンター用紙で構成され、
各フラップは、当該フラップが連設された印刷領域本体の一辺に平行な少なくとも３本の折り曲げ線を有し、折り曲げ線に沿って折り曲げられることにより中空の枠部が形成されるとともに、枠部に折り曲げられた状態で隣り合う枠部に係止する係止部を有し、
相互に係止することにより固定される枠部で、印刷領域本体の周囲が囲われることを特徴とする印字機能付き額縁。
【発明の詳細な説明】
【技術分野】
【０００１】
本発明は、プリンターで印刷した写真、絵画などの画像を飾る印字機能付き額縁に関する。
【背景技術】
【０００２】
従来、木材や合成樹脂で形成された額縁は、高価で、重量もあり搬送などの取り扱いが煩わしいために、１枚の用紙の周囲を折り曲げて枠部とし、その中に写真、絵画などを飾る額縁が知られている（特許文献１）。
【０００３】
【特許文献１】実開平６−３１５７０号公報（要約、図１、図４）
【０００４】
図１０は、この従来の額縁１００を構成する用紙１０１の展開図であり、縦長長方形の底板１０２の周囲に複数の折り曲げ線イ、ロ、ハ、ニ、ホを介して縁部形成片ａ、ｂ、ｃ、ｄ、ｅが連設されている。また、底板１０２の縁部形成片ａの近傍に写真、絵画などの内容物１１０を挿入する挿入口１０３が穿設されている。
【０００５】
このように構成された用紙１０１は、底板１０２の周囲に連設された縁部形成片ａ、ｂ、ｃ、ｄ、ｅを図１１に示すように、折り曲げ線イ、ロ、ハ、ニ、ホに沿って折り曲げて断面台形の中空枠部１０４を形成し、底板１０２に沿って折り返した縁部形成片ａを縁部形成片ｂと底板１０２のそれぞれに糊などで固着する。
【０００６】
この固着により、折り曲げられた縁部形成片が中空枠部１０４の形状に固定され、また、折り返された縁部形成片ａの短手方向の幅は、縁部形成片ｂより短いので、底板１０２との間に内容物１１０をスライドさせる溝１０５が形成される。
【０００７】
同様の折り曲げと固着を、底板１０２の周囲に４辺にそれぞれ連設された全ての縁部形成片について行うと、図１２に示すように、底板１０２の周囲が中空枠部１０４で囲まれ、底板１０２の周囲に溝１０５が形成された額縁１００が得られる。
【０００８】
写真、絵画などの内容物１１０を底板１０２の背面側から挿入口１０３を通して、図のように挿入すると、内容物１１０の側縁が溝１０５に沿ってスライドし、中空枠部１０４内に位置決めされる。
【発明の開示】
【発明が解決しようとする課題】
【０００９】
上述の従来の額縁１００によれば、１枚の用紙１０１から簡単に額縁１００が得られるので、安価で制作でき、気軽に利用することができる。しかしながら、写真、絵画などの内容物１１０を飾る毎に、挿入口１０３から挿入して溝１０５に沿ってスライドさせる必要があり、手間がかかるものであった。
【００１０】
また、紙製であるため、内容物１１０を挿入口１０３から挿入したり、溝１０５に沿ってスライドさせる作業中に、折り曲げた用紙１０１が変形しやすく、審美性が求められる額縁１００であるにもかかわらず、美観を損ねやすいものであった。
【００１１】
一方、卓上でワークステーションやパソコンを用いて高品質な印刷物を作成するＤＴＰ（デスクトップバブリッシング）技術の進展に伴って、家庭等で個人が、デジタルカメラで撮影した画像やグラフィックソフト等で作図した絵画を、プリンターを用いてプリンター用紙に印刷する機会が増え、これらの印刷物で気に入ったものを、額に入れて飾りたいという要望が増している。
【００１２】
このような場合には、一度プリンターを用いてプリンター用紙に印刷し、別に用意した額縁に納める必要があるので、予めプリンターのプリンター用紙の外形に合った額縁を用意しておく必要があり、気軽に利用することができなかった。
【００１３】
同様に、デジタルカメラで撮影した写真やグラフィックソフトで作成した絵画を印刷した印刷物を他人からプレゼントなどで貰い受けても、これにあった額縁を用意しておかなければ、飾ることができないので、その取り扱いに窮することがあった。
【００１４】
本発明は、このような従来の問題点を考慮してなされたものであり、安価で、絵画や写真などの内容物を収容する手間がない額縁を提供することを目的とする。
【００１５】
また、写真や絵画等の画像をプリンターを用いて印刷したプリンター用紙に、別途でこれに合った額縁を用意することなく、額縁内で飾ることができる印字機能付き額縁を提供することを目的とする。
【課題を解決するための手段】
【００１６】
上述の目的を達成するため、請求項１の印字機能付き額縁は、表面に写真、絵画などの画像を、プリンターで印刷可能な矩形の印刷領域本体と、印刷領域本体の四辺にそれぞれ連設されたフラップとからなる１枚のプリンター用紙で構成され、各フラップは、当該フラップが連設された印刷領域本体の一辺に平行な少なくとも３本の折り曲げ線を有し、折り曲げ線に沿って折り曲げられることにより中空の枠部が形成されるとともに、枠部に折り曲げられた状態で隣り合う枠部に係止する係止部を有し、相互に係止することにより固定される枠部で、印刷領域本体の周囲が囲われることを特徴とする。
【００１７】
フラップを折り曲げる前のプリンター用紙は、１枚のシート状用紙であり、写真、絵画などの画像を、プリンターを用いて印刷領域本体に印刷可能となる。各フラップを折り曲げ線に沿って折り曲げると、中空の枠部が形成され、係止部で隣り合う枠部を相互に係止することにより、折り曲げられた中空枠部の形状が保持され、画像が印刷された印刷領域本体の周囲を囲む額縁となる。
【発明の効果】
【００１８】
請求項１の発明によれば、プリンター用紙から、フラップを折り曲げ加工するだけで、額縁が形成されるので、軽量で安価な額縁が得られる。
【００１９】
また、印刷領域本体に、プリンターを用いて写真、絵画などの任意の画像を印刷可能なので、絵画、写真などを額縁に収容する手間がない。
【００２０】
印刷領域本体に写真、絵画などの画像を印刷したプリンター用紙は、各フラップを折り曲げるだけで、額縁が形成されるので、別途で印刷物などの収容物に合う額縁を用意する必要なく、気軽にプレゼントなどに利用できる。
【００２１】
また、枠部となるフラップは、プリンター用紙の一部であるので、任意の模様や図版や色をあらかじめオフセット方式で印刷しておくことができ、嗜好や用途に合わせた種々の額縁とすることができる。
【発明を実施するための最良の形態】
【００２２】
以下、本発明の第１実施の形態に係る印字機能付き額縁１を、図１乃至図９で説明する。図１は、印字機能付き額縁１となる１枚のプリンター用紙２の展開状態を示す平面図である。プリンター用紙２は、展開状態でインクジェットプリンタなどの図示しないプリンタの用紙挿入口に挿入し、印刷可能な大きさと厚みで形成される。ここでは、インクジェット方式に適した材料からなるプリンター用紙で、大きさを、Ａ４版の横２１０ｍｍ、縦２９７ｍｍ、厚みを、折り曲げた後にも所定の強度が得られる０．２ｍｍ乃至０．３５ｍｍの厚みの用紙としている。
【００２３】
プリンター用紙２は、中央に図１の斜線で示す印刷領域本体３と、長方形の印刷領域本体３の４辺にそれぞれ連接された４枚の長方形状のフラップ４、５、６、７とからなっている。印刷領域本体３の表面には、図２、図３にしめすように、インクジェット方式により付着するインクが滲まず、速乾性と光沢が得られるように、ポリマー３ａをコーティングさせている。しかしながら、ポリマー３ａは、印刷領域本体３へ良好な印刷ができれば、必ずしも形成する必要はない。また、フラップ４、５、６、７全体の表面には、木目の地模様等の模様や図版や色があらかじめオフセット方式で印刷され、後述の枠部４Ａ、５Ａ、６Ａ、７Ａとして折り曲げられた際に、木枠等の額縁としての見栄えが施されている。
【００２４】
４枚のフラップ４、５、６、７には、それぞれ図１に破線で示す４本の折り曲げ線８ａ、８ｂ、８ｃ、８ｄが、印刷領域本体３の４辺に平行に形成されている。各折り曲げ線８ａ、８ｂ、８ｃ、８ｄには、その折り曲げ線８に沿って容易に折り曲げられるように、プリンター用紙２の表裏両面から折り溝が形成されている。このうち、印刷領域本体３との境界に沿って形成される最も内側の折り曲げ線８ａの折り溝は、折り曲げ線８ａに沿って谷折りに折り曲げられるように図中表面側から形成され、所定間隔を隔てて形成される他の折り溝８ｂ、８ｃ、８ｄは、山折りで折り曲げられるよう背面側から形成されている。
【００２５】
４枚のフラップ４、５、６、７は、各折り曲げ線８ａ、８ｂ、８ｃ、８ｄで折り曲げられることにより、図４、図５に示すように、断面正方形状の枠部４Ａ、５Ａ、６Ａ、７Ａが形成され、このうち折り曲げ線８ａ、８ｂ間の内面フラップ４１、５１、６１、７１が枠部の内壁面を、折り曲げ線８ｂ、８ｃ間の平面フラップ４２、５２、６２、７２が枠部の平面を、折り曲げ線８ｃ、８ｄ間の外面フラップ４３、５３、６３、７３が枠部の外壁面を、折り曲げ線８ｄで区切られた外側の底面フラップ４４、５４、６４、７４が枠部の底面をそれぞれ構成する。
【００２６】
図１に示す上下方向を、印刷領域本体３へのプリンターによる画像９の印刷方向とし、印字機能付き額縁１の上下の枠部４Ａ、６Ａの底面を構成する底面フラップ４４、６４の折り曲げ線８ｄと直交する方向の幅は、左右の枠部５Ａ、７Ａの底面を構成する底面フラップ５４、７４より長めとなっている。これらの各底面フラップ４４、５４、６４、７４の外側辺の中央には、それぞれ凹溝１０が形成されている。
【００２７】
内面フラップ４１、６１の長手方向両側には、展開状態で隣り合う内面フラップ５１、７１との隙間に正方形状の耳片１１、１１が連設されている。この耳片１１は内面フラップ４１、５１、６１、７１が折り曲げられて枠部の内壁面を構成する際に、隣り合う内面フラップ４１、５１、６１、７１間の隙間を覆うものである。
【００２８】
平面フラップ４２、６２には、折り曲げ線８ｂの両端から長手方向の両側に向かって４５度傾斜する第１スリット１２、１２が切り欠かれることにより、その両側に一対の第１平面係止片１３、１３が形成されている。また、平面フラップ５２、７２の長手方向両側辺には、第１スリット１２、１２と咬合する対応部位に第２スリット１４、１４が切り欠かれ、その内側に一対の第２平面係止片１５、１５が形成されている。
【００２９】
同様に、底面フラップ４４、６４には、折り曲げ線８ｄの両端から長手方向の内側に向かって第３スリット１６、１６が４５度傾斜して切り欠かれ、これにより、その外側に一対の第１底面係止片１７、１７が形成されている。また、底面フラップ５４、７４の外側辺には、第３スリット１６、１６と咬合する対応部位に第４スリット１８、１８が切り欠かれ、その両側に一対の第２底面係止片１９、１９が形成されている。
【００３０】
このように構成されたプリンター用紙２は、プリンターの用紙挿入口へ挿入して、任意の写真、絵画などの画像９を印刷領域本体３へ印刷する。印刷する前後の展開状態では、軽量な１枚のシートであるので、保管が容易であり、販売したり、知人へプレゼントする場合にも、その取り扱いが容易である。
【００３１】
額縁として飾る場合には、図４、図５に示すように、４枚のフラップ４、５、６、７を、折り曲げ線８ａ、８ｂ、８ｃ、８ｄに沿って折り曲げ、印刷領域本体３の周囲に中空の枠部４Ａ、５Ａ、６Ａ、７Ａを形成する。
【００３２】
このとき、平面フラップ４２、６２と、平面フラップ５２、７２の各両側は、印刷領域本体３のコーナーで互いに重なり合うが、図６、図７に示すように、第１スリット１２と第２スリット１４を咬合させて、平面フラップ４２、６２の第１平面係止片１３、１３を平面フラップ５２、７２の背面側へ挿入させるととともに、平面フラップ５２、７２の第２平面係止片１５、１５を、平面フラップ４２、６２の背面側へ挿入させ、両者を係止する。
【００３３】
また、底面フラップ４４、６４と底面フラップ５４、７４の各両側も、互いに重なり合うが、同様に第３スリット１６と第４スリット１８を咬合させ、底面フラップ４４、６４の第１底面係止片１７、１７を底面フラップ５４、７４の背面側へ挿入させるととともに、底面フラップ５４、７４の第２底面係止片１９、１９を、底面フラップ４４、６４の背面側へ挿入させ、両者を係止する。
【００３４】
このように、フラップ４、５、６、７を折り曲げて形成される枠部４Ａ、５Ａ、６Ａ、７Ａは、隣り合う枠部４Ａ、５Ａ、６Ａ、７Ａとは、平面側と底面側の２カ所で互いに係止するので、折り曲げた部分が戻ることがなく、各枠部４Ａ、５Ａ、６Ａ、７Ａの形状が保たれると共に、隣り合う枠部４Ａ、５Ａ、６Ａ、７Ａ間が強固に結合し、隙間が生じることがない。
【００３５】
図８、図９は、このようにプリンター用紙２を折り曲げて組み立てた印字機能付き額縁１を表面側と背面側から見た斜視図で、画像９が印刷された印刷領域本体３の四隅で、隣り合う内面フラップ４１、５１、６１、７１間の隙間は、耳片１１、１１で覆われ、また、隣り合う平面フラップ４２、５２、６２、７２間は、直線上に表れる第１スリット１２と第２スリット１４において、第１平面係止片１３と第２平面係止片１５でその隙間が覆われ、枠部間が密着して連結される。また、フラップ４、５、６、７には、木目の地模様等の模様や図版や色があらかじめオフセット方式で印刷されているので、額縁として見栄えがよいものとなっている。
【００３６】
印字機能付き額縁１の背面側では、各底面フラップ４４、５４、６４、７４の中央に凹溝１０が形成されているので、印刷領域本体３にいずれの向きに画像９が印刷されても、壁に打った釘、鋲などに凹溝１０を掛止して、画像９の印刷方向に合わせ、印字機能付き額縁１を吊すことができる。
【００３７】
以上の実施の形態では、フラップ４、５、６、７に形成される折り曲げ線８ａ、８ｂ、８ｃ、８ｄを４本として、枠部４Ａ、５Ａ、６Ａ、７Ａの断面形状を正方形状としたが、、折り曲げ線を３本若しくは５本以上として、枠部４Ａ、５Ａ、６Ａ、７Ａの断面形状を、断面三角若しくは五角以上の多角形としてもよい。
【００３８】
また、印刷領域本体３へ画像９を印刷する方式は、上述のインクジェット方式に限らず、レーザープリンタを用いたレーザー印刷方式、熱転写方式等他の印刷方式であってもよい。
【００３９】
更に、釘、鋲等に凹溝１０を掛けて印字機能付き額縁１を壁に吊したが、いずれかのフラップ４、５、６、７から脚部を切り起こし自在として、印字機能付き額縁１に組み立てた後、背面側で脚部を切り返し、印字機能付き額縁１を起立支持させるようにしてもよい。
【産業上の利用可能性】
【００４０】
本発明は、プリンターでプリンター用紙に印刷した写真、絵画などの画像を飾る額縁に適している。
【図面の簡単な説明】
【００４１】
【図１】本発明の実施の形態に係る印字機能付き額縁１となるプリンター用紙２の展開状態を示す平面図である。
【図２】図１のＡ−Ａ線に沿って切断した縦断面図である。
【図３】図１のＢ−Ｂ線に沿って切断した縦断面図である。
【図４】フラップ５、７を折り曲げて形成した枠部５Ａ、７Ａに直交する方向に切断した印字機能付き額縁１の縦断面図である。
【図５】フラップ４、６を折り曲げて形成した枠部４Ａ、６Ａに直交する方向に切断した印字機能付き額縁１の縦断面図である。
【図６】隣り合う平面フラップ４２、５２、６２、７２の係止部１３、１５を係止して、印字機能付き額縁１を組み立てる工程を示す斜視図である。
【図７】図６の平面フラップ４２と平面フラップ７２との係止部１３、１５を拡大し、組み立て工程を示す斜視図である。
【図８】印字機能付き額縁１の表面側から見た斜視図である。
【図９】印字機能付き額縁１の背面側から見た斜視図である。
【図１０】従来の額縁１００を構成する用紙１０１の展開図である。
【図１１】額縁１００の中空枠部１０４の縦断面図である。
【図１２】写真、絵画などの内容物１１０を収容する状態を示す額縁１００の斜視図である。
【００４２】
１    印字機能付き額縁
２    プリンター用紙
３    印刷領域本体
４、５、６、７          フラップ
４Ａ、５Ａ、６Ａ、７Ａ  枠部
８ａ、８ｂ、８ｃ、８ｄ  折り曲げ線
９    画像
１２  第１スリット（係止部）
１３  第１平面係止片（係止部）
１４  第２スリット（係止部）
１５  第２平面係止片（係止部）
１６  第３スリット（係止部）
１７  第１底面係止片（係止部）
１８  第４スリット（係止部）
１９  第２底面係止片（係止部）
【図１】
2006055215.tif 000003
【図２】
2006055215.tif 000004
【図３】
2006055215.tif 000005
【図４】
2006055215.tif 000006
【図５】
2006055215.tif 000007
【図６】
2006055215.tif 000008
【図７】
2006055215.tif 000009
【図８】
2006055215.tif 000010
【図９】
2006055215.tif 000011
【図１０】
2006055215.tif 000012
【図１１】
2006055215.tif 000013
【図１２】
2006055215.tif 000014